(57)【特許請求の範囲】
【請求項１】
紙幣搬送路により案内された紙幣の幅方向両端部を該紙幣の長手方向に沿って嵌挿する一対のスリットが形成された一対のガイド部と、該一対のガイド部の各スリット内に嵌挿され、前記一対のガイド部の背面へ移動させられた紙幣を収容するスタッカーとを具えた紙幣処理装置において、
紙幣収容後に前記スタッカー内に収容された紙幣のうち前記一対のガイド部側に位置する紙幣が接触する前記各ガイド部に、前記接触する紙幣の幅方向端部の滑りを防止する滑り止め部材を配設し、該滑り止め部材によって、前記スタッカー内に収容された紙幣が前記紙幣搬送路へ侵入することを防止するようにしたことを特徴とする紙幣処理装置。
【請求項２】
前記ガイド部は、前記スリットが形成された断面コの字形状のガイド部材からなることを特徴とする請求項１に記載の紙幣処理装置。
【請求項３】
前記ガイド部は、前記スリットが形成された断面コの字形状のガイド部材と、該ガイド部材を固着した前記紙幣処理装置の一部からなることを特徴とする請求項１に記載の紙幣処理装置。
【請求項４】
前記紙幣処理装置の一部は、断面Ｌ字形状に形成されたスタッカーの上縁であることを特徴とする請求項３に記載の紙幣処置装置。
【請求項５】
前記一対のガイド部は前記紙幣搬送路に沿った方向を軸にして回転する一対の紙幣案内ドラムからなり、前記滑り止め部材は、紙幣収容後に前記スタッカー内に収容された紙幣のうち一対のガイド部側に位置する紙幣の幅方向両端部が接触する各ガイドの各外周面に配設されていることを特徴とする請求項１に記載の紙幣処理装置。
【発明の詳細な説明】
【０００１】
【発明の属する技術分野】
この発明は、自動販売機、両替機、パチンコ玉貸機、メタル貸機等に使用される紙幣処理装置に関し、特に、紙幣を蓄積収容するスタッカーを具えた紙幣処理装置に関する。
【０００２】
【従来の技術】
一般に紙幣（クーポン券等を含む）を取り扱う自動販売機等の機器本体内には、挿入された紙幣のうち真券と見做された紙幣を蓄積収容する紙幣処理装置が装着されている。
【０００３】
図６は、従来の紙幣処理装置４１を示す要部概念断面図である。
【０００４】
この紙幣処理装置４１は、図６で示すように、装置本体２と、該装置本体２の背面に配設されたスタッカー１１とから構成されている。
【０００５】
このうち、装置本体２には、紙幣挿入口（図示せぬ）に連通する紙幣搬送路３（図６において点線で図示）が配設されており、その終端部３ａは、図６の紙面垂直方向に沿って配設されている。
また、この紙幣搬送路３の終端部３ａには、紙幣１０１の幅方向両端部をスリット４ａに嵌挿させて、該紙幣１０１を図６の紙面垂直方向に沿って紙幣搬送路３の終端へ案内する一対のガイド部４が配設されている。
この各ガイド部４は前記スリット４ａが形成された断面コの字形状のガイド部材２００により構成されており、紙幣搬送路３の終端部３ａに沿った方向、すなわち、図６の紙面垂直方向に沿って延設されている。
【０００６】
また各ガイド部４には上記スリット４ａが図６の紙面垂直方向に沿って形成されている。またこの一対のガイド部４は、紙幣１０１の幅方向両端部がそれぞれ各スリット４ａ内に嵌挿し易いようにするため、通常、紙幣１０１と接触した場合に摩擦が生じにくい材質、すなわち摩擦係数の小さい材質であるプラスチックから製造されている。
【０００７】
また、図６のＢＢ概念縮小断面図であって、図６のスタッカープレート１３（後述）及びスタックバネ１４（後述）を取り除いた様子を表す図７で示すように、各ガイド部４の外周面には、何も配設されていない。
また、図６で示すように、一対のスリット４ａ間の装置本体２には、紙幣１０１を１枚ずつ、一対のガイド部４の背面側へ移動させる紙幣移動手段５が配設されている。
【０００８】
この紙幣移動手段５は、一対のガイド部４の背面側へ平行移動して紙幣１０１を押圧する押圧プレート５ａと、該押圧プレート５ａを往復移動させる図示せぬモータからなる押圧プレート駆動手段から構成されている。
【０００９】
一方、スタッカー１１は一対のガイド部４を覆うように配設されている。
【００１０】
このスタッカー１１内には、スタッカー１１内に収容された紙幣１０１（図９）を常時装置本体２側へ押圧する付勢手段１２が配設されており、この付勢手段１２は、紙幣１０１を押圧するスタッカープレート１３と、該スタッカープレート１３を常時装置本体２側へ付勢するスタックバネ１４とから構成されている。
【００１１】
このような構成の紙幣処理装置４１では、前記紙幣挿入口内に紙幣１０１が挿入されると、該紙幣１０１は、紙幣搬送路３に配設された図示せぬ紙幣搬送ベルトからなる紙幣搬送手段の駆動によって紙幣搬送路３に沿って下流へ向け搬送され、該紙幣搬送路３の途中に配設された図示せぬ紙幣識別手段により紙幣１０１の真偽が判定される。
この紙幣識別手段により紙幣１０１が偽券と判断された場合は前記紙幣搬送手段を逆駆動して紙幣１０１は前記紙幣挿入口へ返送されるが、紙幣１０１が真券と判断された場合には前記紙幣搬送手段の駆動を持続して、該紙幣１０１をさらに紙幣搬送路３の下流へ搬送する。
そして、紙幣搬送路３の下流に案内された紙幣１０１が図６の紙幣搬送路３の終端部３ａに達すると、紙幣１０１の幅方向両端部は一対のガイド部４のスリット４ａに嵌挿し、該紙幣１０１は、この一対の各スリット４ａに沿って更に案内される。
【００１２】
そして、この紙幣１０１が、一対のガイド部４の各スリット４ａ内の所定位置に達したことが図示せぬセンサ等により検出されると、前記紙幣搬送手段が停止するとともに、前記紙幣移動手段の押圧プレート駆動手段を駆動し、該押圧プレート駆動手段の駆動によって、押圧プレート５ａを一対のガイド部４の背面側に（図６の矢印Ｃの方向に）平行移動させる。
【００１３】
すると、図８で示すように、押圧プレート５ａの平行移動に伴い、スリット４内に嵌挿された紙幣１０１の略中央部分は押圧プレート５ａによって一対のガイド部４の背面側に押圧されるので、該紙幣１０１は徐々に一対のガイド部４の背面側、すなわちスタッカー２側に案内移動されるともに、紙幣１０１の幅方向の両端部が徐々に各スリット４ａから脱出する。
この紙幣１０１の幅方向の両端部が各スリット４ａを完全に脱出するまで押圧プレート５ａが平行移動すると、該押圧プレート５ａは初期位置に復帰させるべく装置本体２側に（図８の矢印Ｄの方向）へ平行移動する。そして、図９で示すように押圧プレート５ａが初期位置に復帰すると、紙幣１０１の幅方向両端部は、スタックバネ１４を介してスタッカープレート１３と一対のガイド部４の外周面との間に挟持され、これにより該紙幣１０１はスタッカー１１内に収容される。
【００１４】
また図１０で示すように、次に新たな紙幣１０１が紙幣搬送路３の終端部３ａに案内されて一対のスリット４ａにその両端部が嵌挿されると、該新たな紙幣１０１は上述した紙幣１０１の収容動作と同様の動作によってスタッカー内１１に収容される。
このようにしてスタッカー１１内に紙幣１０１を次々に収容すると、図１１で示すように、複数枚の紙幣１０１は紙幣搬送路３の終端部３ａに沿って積載収容される。また、積載収容された該複数枚の紙幣１０１の幅方向両端部はスタッカープレート１３と一対のガイド部４の外周面との間に挟持される。
また、積載収容された該複数枚の紙幣１０１は、挟持されたガイド部４によって紙幣搬送路３の終端部３ａから遮断されるので、該複数枚の紙幣１０１が紙幣搬送路３の終端部３ａに侵入することは可及的に防止されている。したがって、一度スタッカー１１内に収容された紙幣１０１が紙幣搬送路３の終端部３ａに侵入して次に紙幣搬送路３の終端部３ａに搬送されるべき紙幣１０１が搬送できずに紙幣詰まりが生じる虞は可及的に防止されている。
【００１５】
【発明が解決しようとする課題】
ところで、上述した従来の紙幣処理装置４１によると、図１１で示すようにスタッカー１１内に紙幣１０１を収容すると、スタッカー１１内に収容された紙幣１０１のうち一対のガイド部４側に位置する紙幣１０１は、その両端部が各ガイド部４の外周面にそれぞれ接触する。この各ガイド部４は、通常、摩擦係数の小さいプラスチックにより製造されているから、互いに接触する紙幣１０１の両端部と各ガイド部４との間の摩擦力は小さく、そのため、図１２の矢印Ｅで示すように、この紙幣１０１の両端部が各ガイド部４の外周面により滑って、該紙幣１０１の略中央部分から紙幣搬送路３の終端部３ａに侵入することがあり、またこれによりスタッカー１１内の紙幣１０１が、次々にその各略中央部分から紙幣搬送路３の終端部３ａに侵入することがあった。
このように、一度スタッカー１１内に収容された紙幣１０１が紙幣搬送路３の終端部３ａに侵入すると、図１２で示すように、次に紙幣搬送路３の終端部３ａに搬送されるべき紙幣１０１を該終端部３ａに搬送することができずに、紙幣詰まりを引き起こすという問題があった。
【００１６】
特に、スタッカー１１内に収容された紙幣１０１に皺がある紙幣等、状態の悪い紙幣が含まれている場合には、スタッカー１１内の紙幣１０１全体の膨らみ等によって、各ガイド部４の外周面に接触する紙幣１０１の両端部が各ガイド部４の外周面から滑りやすく、その為スタッカー１１内の紙幣１０１がその略中央部分から紙幣搬送路３の終端部３ａに侵入して上記紙幣詰まりが顕著に生じていた。
【００１７】
この発明は上述した事情に鑑み、スタッカー内に収容された紙幣が紙幣搬送路内に侵入して次の搬送紙幣の処理を妨害することを可及的に阻止する紙幣処理装置を提供することを目的とする。
【００１８】
【課題を解決するための手段】
上述した課題を解決するため、本願発明の紙幣処理装置では、紙幣搬送路により案内された紙幣の幅方向両端部を該紙幣の長手方向に沿って嵌挿する一対のスリットが形成された一対のガイド部と、該一対のガイド部の各スリット内に嵌挿され、前記一対のガイド部の背面へ移動させられた紙幣を収容するスタッカーとを具えた紙幣処理装置において、紙幣収容後に前記スタッカー内に収容された紙幣のうち前記一対のガイド部側に位置する紙幣が接触する前記各ガイド部に、前記接触する紙幣の幅方向端部の滑りを防止する滑り止め部材を配設し、該滑り止め部材によって、前記スタッカー内に収容された紙幣が前記紙幣搬送路へ侵入することを防止するようにしている。
【００１９】
【発明の実施の形態】
以下、本願発明に係る紙幣処理装置の実施例を詳述する。
【００２０】
図１は第一の実施例の紙幣処理装置の要部概念断面図であって、スタッカー内に複数枚の紙幣を収容した様子を示している。なお、図１では、図６乃至図１２と同一部分を同一符号で示している。
また図２は、図１のＡＡ概念縮小断面図であり、図１のスタッカー１１内の紙幣１０１を取り除いた様子を示している。
【００２１】
図１及び図２で示すように、この紙幣処理装置１では、スタッカー１１内に収容された紙幣１０１のうち一対のガイド部４側に位置する紙幣１０１が接触する各ガイド部４のガイド部材２００に、前記接触する紙幣１０１の幅方向端部の滑りを防止する紙幣滑り防止手段９を配設し、該紙幣滑り防止手段９によって、該紙幣１０１及びその他のスタッカー２内の紙幣１０１が紙幣搬送路３の終端部３ａへ侵入することを防止するようにしている。
【００２２】
この紙幣逆戻り防止手段９は、装置本体３を構成しているプラスチック製のガイド部材２００の外周面に埋設されている。この紙幣滑り防止手段９は、紙幣１０１と接触した場合に生ずる摩擦力が大きい材質、すなわち、摩擦係数の高い材質からなる滑り止め部材から構成されており、たとえば、シート状のゴムから構成されている。
また、この紙幣滑り防止手段９は、スタッカー１１内の紙幣１０１の長手方向に沿って形成されており、スタッカー１１内のガイド部４側に位置する紙幣１０１の幅方向両端部の上部または下部が接触するガイド部４に配設されている。
【００２３】
この紙幣処理装置１では、従来の紙幣処理装置３１と同様の動作によって、図示せぬ紙幣挿入口から挿入された紙幣１０１の搬送、偽券と見做された紙幣の返却、および真券と見做された紙幣１０１のスタッカー１１への収容を行う。
【００２４】
また、この紙幣処理装置１では、図１で示すように、スタッカー１１内に紙幣１０１を収容すると、紙幣１０１の両端部はスタックバネ１３を介してスタッカープレート１４と一対のガイド部４の外周面との間に挟持されるが、このスタッカー１１内に収容された紙幣１０１のうち一対のガイド部４側に位置する紙幣１０１の幅方向両端部が接触する各ガイド部４には、図１及び図２で示すように、それぞれ、紙幣滑り防止手段９である滑り止め部材（この実施例ではゴム）が配設されているから、互いに接触する紙幣１０１と滑り止め部材（この実施例ではゴム）との間に生じる大きな摩擦力によって、該紙幣１０１の両端部が各ガイド部４の外周面によって滑る虞は可及的に防止され、これにより紙幣１０１の略中央部分から紙幣搬送路３の終端部３ａに侵入する虞が可及的に防止される。そのため、スタッカー１１内のその他の紙幣１０１が次々にその各略中央部分から紙幣搬送路３の終端部３ａに侵入する虞も可及的に防止される。
このように、この紙幣処理装置１では、スタッカー１１内の紙幣１０１が紙幣搬送路３の終端部３ａに侵入する虞を可及的に防止できるから、次に紙幣搬送路３の終端部３ａに搬送されるべき紙幣１０１を該終端部３ａに確実に搬送することができ、従来生じていた紙幣詰まりを可及的に防止することができる。
【００２５】
また仮に、スタッカー１１内に収容された紙幣１０１に皺がある紙幣等、状態の悪い紙幣が含まれ、これによりスタッカー１１内の紙幣１０１全体の膨らむ場合であっても、各ガイド部４の外周面に接触する紙幣１０１の両端部は、各ガイド部４の外周面に配設された紙幣滑り防止手段９である滑り止め部材（この実施例ではゴム）との間に生じる大きな摩擦力によって、各ガイド部４の外周面により滑る虞を可及的に防止されるので、該紙幣１０１の略中央部分から紙幣搬送路３の終端部３ａに侵入する虞は可及的に防止され、またこれによりスタッカー１１内のその他の紙幣１０１がその略中央部分から紙幣搬送路３の終端部３ａに次々に侵入することも可及的に防止される。
したがって、スタッカー１１内に収容された紙幣１０１に状態の悪い紙幣が含まれる場合であっても、次に紙幣搬送路３の終端部３ａに搬送されるべき紙幣１０１を該終端部３ａに確実に搬送することができ、従来生じていた紙幣詰まりを可及的に防止することができる。
【００２６】
なお、この紙幣処理装置１では、紙幣逆戻り防止手段９である滑り止め部材を一対のガイド部４の各外周面に埋設することとしたが、紙幣逆戻り防止手段９は、一対のガイド部４の各外周面に配設されているものであればよく、たとえば、図１及び図２と同一部分を同一符号で示す図３の第二の実施例の紙幣処理装置のように、紙幣逆戻り防止手段９である滑り止め部材は、一対のガイド部４の各外周面に貼着されるものであってもよい。
なお、図１の紙幣処理装置１のように、紙幣逆戻り防止手段９である滑り止め部材を一対のガイド部４の各外周面に埋設すると、スタッカー１１内に収容された紙幣１０１を変形させずに平坦な姿勢で収容することができる。
また、上記紙幣処理装置１、２１では、一対のガイド部４は装置本体２に配設されることとしたが、この発明の紙幣処理装置を構成する一対のガイド部４は、装置本体２に配設されているものに限定されず、一対のガイド部４はスタッカー１１に配設されていてもよい。
【００２７】
また、上記紙幣処理装置１、２１では、その一対のガイド部４は、装置本体２に固定されているものとしたが、この発明の紙幣処理装置を構成する一対のガイド部４は、これに限定されず、例えば、一対のガイド部４は、装置本体２内に配設された動作可能な部材から構成されるものであってもよい。
【００２８】
次に、一対のガイド部４が装置本体２内に配設された動作可能な部材から構成されている本願の第三の実施例の紙幣処理装置について説明する。
図４は、第三の実施例の紙幣処理装置の要部概念破断面図であって、スタッカー内に複数枚の紙幣を収容した様子を示す概念図である。なお、図４では、図１乃至図３及び図５乃至図１１と同一部分を同一符号で示している。
【００２９】
図４に示す第三の実施例の紙幣処理装置３１では、第一及び第二の実施例の紙幣処理装置３１の紙幣移動手段５に替えて、一対の紙幣案内ドラムからなる紙幣移動手段３５を配設している。
【００３０】
この紙幣移動手段３５は、装置本体２内に配設された一対の紙幣案内ドラムであるガイド部材２０１から構成された一対のガイド部３４と、該一対のガイド部３４を駆動する図示せぬガイド部駆動手段とから構成されている。
【００３１】
このうち、一対の紙幣案内ドラムである一対のガイド部３４は、上シュート３２ａ及び下シュート３２ｂにより形成された紙幣搬送路３の終端部３ａに沿った方向、すなわち、図４の紙面垂直方向に沿って延設されており、またこの一対のガイド部３４の各周面には、紙幣１０１の幅方向端部を嵌挿するスリット３４ａが配設されている。なお、このスリット３４ａも図４の紙面垂直方向に沿って延設されている。
【００３２】
この紙幣処理装置３１では、紙幣搬送路３の終端部３ａに紙幣１０１が案内されると、該紙幣１０１の幅方向の両端部は、一対のガイド部３４の各スリット３４ａに嵌挿される。また紙幣１０１が嵌挿した一対のガイド部３４が、それぞれ、図４の紙面垂直方向に沿った方向を軸にして、装置本体２の外側へ向けて回転（図４のＦ方向に回転）すると、スリット３４ａ内に嵌挿された紙幣１０１は、紙幣案内ドラム３２の回転によって一対のガイド部３４の背面へ案内され、案内された紙幣１０１は最終的にスタッカー１１内に収容される。
なお、紙幣移動手段３５の動作についての詳細は、特開２０００−３３１２１６号や特開平０７−１２５８９６号公報の明細書を参照されたい。
【００３３】
また、このスタッカー１１に収容された紙幣１０１の両端部は、図示せぬスタックバネを介しスタッカープレート１４と一対のガイド部３４の各外周面との間に挟持されるが、このスタッカー１１内に収容された紙幣のうち一対のガイド部３４側に位置する紙幣１０１の幅方向両端部が接触する各ガイド部３４の各外周面には、それぞれ、紙幣滑り防止手段９である滑り止め部材（例えば、ゴム）が配設されている。この滑り止め部材は、スタッカー１１内の紙幣１０１の幅方向両端部の上部および下部が接触するガイド部３４に、該紙幣１０１の長手方向に沿って配設されている。
【００３４】
このような構成の紙幣処理装置３１では、スタッカー１１内に収容された紙幣のうち一対のガイド部３４側に位置する紙幣１０１の幅方向両端部は紙幣滑り防止手段９である滑り止め部材に接触するため、該紙幣１０１の幅方向両端部は、互いに接触する紙幣１０１と滑り止め部材（この実施例ではゴム）との間に生じる大きな摩擦力によって、各ガイド部３４の外周面によって滑る虞は可及的に防止され、これにより紙幣１０１の略中央部分から紙幣搬送路３の終端部３ａに侵入する虞が可及的に防止される。そのため、スタッカー１１内のその他の紙幣１０１が次々にその各略中央部分から紙幣搬送路３の終端部３ａに侵入する虞も可及的に防止され、これにより、従来生じていた紙幣詰まりは可及的に防止される。
【００３５】
なお、この紙幣処理装置３１のスタッカー１１内の紙幣１０１に、仮に、皺がある紙幣等、状態の悪い紙幣が含まれ、これによりスタッカー１１内の紙幣１０１全体の膨らむ場合であっても、各ガイド部３４の外周面に接触する紙幣１０１の両端部が各ガイド部３４の外周面により滑ることは、上記紙幣滑り防止手段９による大きな摩擦力によって可及的に防止され、これにより、スタッカー１１内の紙幣１０１がその略中央部分から紙幣搬送路３の終端部３ａに侵入することも可及的に防止される。したがって、この第三の実施例の紙幣処理装置３１では、スタッカー１１内に収容された紙幣１０１に状態の悪い紙幣が含まれる場合であっても、次に紙幣搬送路３の終端部３ａに搬送されるべき紙幣１０１を該終端部３ａに確実に搬送することができ、従来生じていた紙幣詰まりを可及的に防止することができる。
【００３６】
また、この紙幣処理装置３１では、一対のガイド部３４である紙幣案内ドラムを、図４の紙面と垂直方向に沿った方向を軸として装置本体２の外側へ向けて回転させることにより紙幣搬送路３にある紙幣１０１を一対のガイド部３４の背面へ移動させる構造であるため、このガイド部３４の回転力により、該紙幣１０１の移動と同時に、スタッカー１１内に収容された紙幣１０１のうちガイド部３４側に位置し、かつガイド部３４に接触する紙幣１０１は、該紙幣１０１の幅方向両端部が紙幣滑り防止手段９である滑り止め部材（この実施例ではゴム）に摺接して、紙幣１０１の幅方向外側へ両端部が引っ張られる。そのため、該紙幣１０１が紙幣搬送路３の終端部３ａへ侵入することは、該滑り止め部材によって、第一及び第二の紙幣処理装置に比べ、更に可及的に防止され、これによりスタッカー１１内のその他の紙幣１０１がその各略中央部分から紙幣搬送路３の終端部３ａに侵入する虞も一層可及的に防止される。したがって、従来生じていた紙幣詰まりが招じる虞も更に可及的に防止される。
【００３７】
なお、上述した本願の第一乃至第三の実施例の紙幣処理装置１、２１、３１では、各ガイド部４、３４のスリット４ａ、３４ａ内に紙幣搬送ローラや搬送ベルトを配設しないこととして説明したが、この発明の紙幣処理装置ではこのスリット４ａ、３４ａの各構成に限定されず、例えば、紙幣処理装置の各ガイド部４、３４のスリット４ａ、３４ａ内に、それぞれ紙幣搬送ローラ及び紙幣搬送ベルトを配設し、これにより該スリット４ａ、３４ａ内に嵌挿した紙幣１０１をさらに紙幣搬送路４の下流へ搬送し易くするようにしてもよい。
【００３８】
また、上述した本願の第一乃至第三の実施例の紙幣処理装置１、２１、３１では、紙幣移動手段５、３５は装置本体２に配設されることとしたが、この発明の紙幣処理装置を構成する紙幣移動手段５、３５は、装置本体２に配設されているものに限定されず、紙幣移動手段３、３５はスタッカー１１に配設されていてもよい。
【００３９】
なお、上記紙幣処理装置１、２１、３１では、紙幣滑り防止手段９である滑り止め部材を、スタッカー１１内の紙幣１０１の幅方向両端部の上部および下部が接触するガイド部４に、該紙幣１０１の長手方向に沿って配設することとしたが、本願発明の紙幣処理装置では滑り止め部材の配設位置はこれに限定せず、該滑り止め手段９は、スタッカー１１内の紙幣１０１の幅方向両端部の長手方向全部が接触するガイド部４に、該紙幣１０１の長手方向に沿って配設してもよい。
【００４０】
なお、上記実施例では、ガイド部４をスリット４ａが形成された断面コの字形状のガイド部材２００のみで形成する場合について詳述したが、この発明は上記実施例に限定されることなく、図１と同一部分を同一符号で示す、図５のように、例えば一対のガイド部４を、スリット４ａが形成された断面コの字形状の部材２００と、この部材２００の下面に配設された断面Ｌ字形状のスタッカ１１の上縁１１ａとにより構成しても良く、この場合は、スリット４ａが形成された断面コの字形状の部材２００と断面Ｌ字形状のスタッカ１１の上縁１１ａとにより構成されたガイド部４のスタッカー１１側に位置する面、すなわち断面Ｌ字形状の上縁１１ａに紙幣滑り防止手段９を配設すればよい。
【００４１】
従って、ガイド部４はスリット４ａが形成された断面コの字形状の部材２００のみならず、このスリット４ａが形成されたガイド部材２００と紙幣処理装置１を構成する他の部材の一部とにより一体的に形成されている場合も含まれることは言うまでもない。
【００４２】
【発明の効果】
以上説明したように、本願発明の紙幣処理装置では、紙幣収容後にスタッカー内に収容された紙幣のうち一対のガイド部側に位置する紙幣が接触する各ガイド部に、前記接触する紙幣の幅方向端部の滑りを防止する滑り止め部材を配設しているから、互いに接触する滑り止め部材と前記紙幣の幅方向両端部との間に生じる大きな摩擦力によって、この紙幣の両端部が、接触するガイド部から滑る虞を可及的に防止でき、該紙幣がその略中央部分から紙幣搬送路に侵入する虞を可及的に防止できる。またこれによりスタッカー内のその他の紙幣が次々にその各略中央部分から紙幣搬送路に侵入する虞も可及的に防止できる。したがって、次に紙幣搬送路に搬送されるべき紙幣を紙幣搬送路の終端部に確実に搬送することができ、従来生じていた紙幣詰まりを可及的に防止することができる。
【００４３】
また、スタッカー内に収容された紙幣に、皺がある紙幣等、状態の悪い紙幣が含まれ、これによりスタッカー内の紙幣全体の膨らむ場合であっても、互いに接触する滑り止め部材と前記スタッカー内に収容された紙幣のうち一対のガイド部側に位置する紙幣の幅方向両端部との間に生じる大きな摩擦力によって、該紙幣の幅方向両端部が、前記接触するガイド部から滑る虞を可及的に防止できるので、該紙幣の略中央部分から紙幣搬送路に侵入する虞を可及的に防止でき、またこれによりスタッカー内のその他の紙幣が、その略中央部分から紙幣搬送路に次々に侵入することも可及的に防止できる。したがって従来生じていた上記紙幣詰まりを可及的に防止することができる。
【図面の簡単な説明】
【図１】図１はこの発明に係る第一の実施例の紙幣処理装置の要部概念断面図であって、スタッカー内に複数枚の紙幣を収容した様子を示す概念図。
【図２】図２は図１のＡＡ概念縮小断面図。
【図３】図３はこの発明に係る第二の実施例の紙幣処理装置の要部概念断面図であって、スタッカー内に複数枚の紙幣を収容した様子を示す概念図。
【図４】図４はこの発明に係る第三の実施例の紙幣処理装置の要部概念破断面図であって、スタッカー内に複数枚の紙幣を収容した様子を示す概念図。
【図５】図５はガイド部の他の実施例を示す紙幣処理装置の要部概念断面図。
【図６】図６は従来の紙幣処理装置の要部概念断面図。
【図７】図７は図５のＢＢ概念縮小断面図。
【図８】図８は、図６の紙幣処理装置において、スタッカー内に紙幣を収容させる動作を示す概念図。
【図９】図９は、図６の紙幣処理装置において、スタッカー内に紙幣を１枚収容した様子を示す概念図。
【図１０】図１０は、図９の紙幣処理装置において、次にスタッカー内に収容すべき紙幣が紙幣搬送路の終端部に案内された様子を示す概念図。
【図１１】図１１は、図６の紙幣処理装置のスタッカー内に複数枚の紙幣を収容した様子を示す概念図。
【図１２】図１２は、図６の紙幣処理装置のスタッカー内に収容された紙幣が、一対のガイド部から滑り出て紙幣搬送路の終端部に侵入し、次にスタッカー内に収容すべきす紙幣が該終端部に搬送されずに紙詰まりが生じている様子を示す概念図。
【符号の説明】
１、２１、３１…紙幣処理装置
３…紙幣搬送路
４、３４…ガイド部
４ａ、３４ａ…スリット
９…紙幣滑り防止手段
１１…スタッカー
１０１…紙幣
２００、２０１…ガイド部材
【図１】
0004223735.tif 000002
【図２】
0004223735.tif 000003
【図３】
0004223735.tif 000004
【図４】
0004223735.tif 000005
【図５】
0004223735.tif 000006
【図６】
0004223735.tif 000007
【図７】
0004223735.tif 000008
【図８】
0004223735.tif 000009
【図９】
0004223735.tif 000010
【図１０】
0004223735.tif 000011
【図１１】
0004223735.tif 000012
【図１２】
0004223735.tif 000013